(57)【要約】【課題】十分長い光ファイバ余長に対応可能であり、かつ余長処理が容易な光コネクタを得る。【解決手段】光レセプタクル１０が配置される概ねプレート状のコンセント本体７の前面に、光レセプタクル回りの光ファイバ心線１３を収納する心線余長収納部８を設け、背面に光ケーブル１２の余長を巻き取るケーブル余長巻取り部９を設ける。ケーブル余長巻取り部９は背面側にあり、前面側では細い光ファイバ心線１３のみを扱うことができるので、光レセプタクル回りの心線余長処理の作業が容易である。心線余長収納部８とケーブル余長巻取り部９とがコンセント本体７の前後に分離されているので、光ケーブル１２及び光ファイバ心線１３のための十分な余長スペースを確保できる。【選択図】図１１
2008233816.tif 000002
【特許請求の範囲】
【請求項１】
光レセプタクルが配置される概ねプレート状のコンセント本体の前面に、光レセプタクル回りの光ファイバ心線を収納する心線余長収納部を設け、背面に光ケーブルの余長を巻き取るケーブル余長巻取り部を設けたことを特徴とする光コンセント。
【請求項２】
前記ケーブル余長巻取り部は、コンセント本体の背面に円筒状のマンドレルをコンセント本体と一体に突設して構成したことを特徴とする請求項１記載の光コンセント。
【請求項３】
コンセント本体の背面におけるマンドレル外周から若干離れた箇所に光ケーブルの巻き崩れを防止するためのリブを突設したことを特徴とする請求項２記載の光コンセント。
【請求項４】
前記心線余長収納部は、コンセント本体の前面に、若干の隙間をあけて並ぶ２つの円筒部を一体に突設して構成したことを特徴とする請求項１〜３記載の光コンセント。
【請求項５】
光レセプタクルが配置される概ねプレート状のコンセント本体の前面に、光レセプタクル回りの心線余長収納部を設け、背面に円筒状のマンドレルを突設してこれを光ケーブル余長巻き取り用のケーブル余長巻取り部としたことを特徴とする光コンセント。
【発明の詳細な説明】
【技術分野】
【０００１】
この発明は、光ファイバを各住戸に配線するシステム（ＦＴＴＨ）等において、各住戸内の壁面等に埋め込み設置されるとともに、壁等の内部を配線された光ケーブル（インドアケーブル）を導入して内部の光レセプタクルにて成端して、外部から差し込んだ光コネクタプラグを光ケーブルに光接続可能にする光コンセントに関する。
【背景技術】
【０００２】
この種の光コンセントは埋め込み型光成端箱とも称される。この光コンセントを例えば壁に取り付ける場合、壁内部を配線されて光コンセント内部に導入された光ケーブルの余長を、光コンセントの埋め込みボックス内に収納する必要があるが、一般には、光ケーブルの余長を単に、適当に束ねて光コンセントの埋め込みボックス内に押し込んでいる。
【０００３】
しかし、光ケーブルの余長を単に束ねて埋め込みボックス内に押し込む前記の方法では、束ねた光ケーブルを無理矢理押し込むことになり易く、光ファイバが許容曲げ半径を越えて曲がる等して伝送特性を損なう恐れがある。
そこで、光ケーブルを束ねて無理矢理押し込むことを防止可能な余長処理方法として、巻き付けリールに光ケーブルを巻き取って収納する方式（特許文献１）や、光ケーブルを２方向へ振り分ける振り分け部材を設ける方式（特許文献２）などがある。
【０００４】
特許文献１の光コンセント（光ファイバ用配線器具）は、光ケーブルを巻き取る小型の巻取体(巻取りリール)と、コンセント本体内にて前記巻取体を壁の内側で保持する保持体(収納容器)とを備えた構造で、成端後に背面側に導出された光ケーブルを前記巻取体に巻回処理し、次に巻取体を保持体に収納する方式である。前記保持体はコンセント本体内に固定され、コンセント本体はＪＩＳで規格化された取付枠を介して壁に取り付けられる。
【０００５】
特許文献２の光コンセント（埋込光ケーブル用コンセント）は、光コンセントの背面側に、ケーブルガイド面を持つケーブル固定部材を備え、このケーブル固定部材のケーブルガイド面は、ほぼ半球状の曲面であり、鉛直方向からみてほぼハの字型に広がる円筒形状の２つの曲面から組み合わされている。光ケーブルは、弦巻線状に捻って曲げた状態でケーブル固定部材に固定される。この光コンセントでは、光ケーブルの先端に外被把持型光コネクタプラグが取り付けられ、光コンセント内では光ケーブルのまま取り扱われる。
【特許文献１】特開2005-234383(光ファイバ用配線器具)
【特許文献２】特開2006-301576(埋込光ケーブル用コンセント）
【発明の開示】
【発明が解決しようとする課題】
【０００６】
特許文献１の光コンセントは、前記の通り、埋め込みボックス内の狭い空間に小型の巻取りリール（巻取体）と、リールを収納するための上側が開口した袋状の収納容器(保持体)とを備え、これらの部品が光コンセント本体とは別体となっており、したがって、この光コンセントの光ケーブル処理方法では、光コンセント内の光レセプタクルから背面側に導出した光ケーブルを巻取りリールに巻き取り、光ケーブルが巻き取られた巻取りリールを収納容器に収納する作業手順となるが、コンセント本体を固定して壁に取り付ける取付枠はＪＩＳで規定されているため、これらの部品はどうしても小型になってしまう。そのような小型で複数の部品の分解や組立作業が必要となるので、取り扱い性に難があり、その結果、配線作業効率が悪いという問題がある。
また、複雑な形状の複数の部品に分割されているため必然的に製造コストがアップするという間題もある。
また、巻取りリールの径と幅とによる制限のために、巻取り可能な余長が限定されるので、長い余長には対応できないという問題がある。
【０００７】
特許文献２の光コンセントにおいては、光ケーブルを固定するためのケーブル固定部材の形状が特殊であり、しかも複数部品にわかれているために、特許文献１と同様に、小型で複数の部品の分解や組立作業が必要となって、取り扱い性に難があり、配線作業効率が悪いという問題があり、製造コストがアップするという問題がある。
さらに、この光コンセントでは、余長収納スペースが少ないため、長い余長には対応できないという間題がある。
また、この光コンセントでは、光ケーブルのまま内部の光レセプタクルに接続されるが、太い光ケーブルを扱う作業は細い光ファイバ心線を扱う場合と比べて作業がしにくいので、光ケーブルの余長処理が簡単ではないという問題もある。
また、この光コンセントも、構造的に長い余長には対応できない、という問題がある。
【０００８】
本発明は上記従来の欠点を解消するためになされたもので、部品点数が少なく、したがって１つの部品があまり小型になることがなく取り扱い性に優れ、特に、光レセプタクル回りの取り扱い性に優れ、したがって、配線作業の作業性が向上し、しかも安価に製造することができ、さらに十分長い余長に対応可能な光コンセントを提供することを目的とする。
【課題を解決するための手段】
【０００９】
上記課題を解決する本発明の光コンセントは、光レセプタクルが配置される概ねプレート状のコンセント本体の前面に、光レセプタクル回りの光ファイバ心線を収納する心線余長収納部を設け、背面に光ケーブルの余長を巻き取るケーブル余長巻取り部を設けたことを特徴とする。
【００１０】
請求項２は、請求項１の光コンセントにおいて、ケーブル余長巻取り部は、コンセント本体の背面に円筒状のマンドレルをコンセント本体と一体に突設して構成したことを特徴とする。
【００１１】
請求項３は、請求項２の光コンセントにおいて、コンセント本体の背面におけるマンドレル外周から若干離れた箇所に光ケーブルの巻き崩れを防止するためのリブを突設したことを特徴とする。
【００１２】
請求項４は、請求項１〜３の光コンセントにおいて、心線余長収納部は、コンセント本体の前面に、若干の隙間をあけて並ぶ２つの円筒部を一体に突設して構成したことを特徴とする。
【００１３】
請求項５の発明の光コンセントは、光レセプタクルが配置される概ねプレート状のコンセント本体の前面に、光レセプタクル回りの心線余長収納部を設け、背面に円筒状のマンドレルを突設してこれを光ケーブル余長巻き取り用のケーブル余長巻取り部としたことを特徴とする。
【発明の効果】
【００１４】
本発明によれば、ケーブル余長巻取り部はコンセント本体の背面側にあり、前面側では光ケーブルから取り出した細い光ファイバ心線のみを扱うことができるので、直接太い光ケーブルを処理するものと比べて、光レセプタクル回りの心線余長処理の作業が容易である。
心線余長収納部とケーブル余長巻取り部とがコンセント本体の前後に分離されているので、光ファイバ（光ケーブル、及び光ファイバ心線）の十分長い余長を確保することが容易である。
【００１５】
請求項２のようにコンセント本体の背面に円筒状のマンドレルをコンセント本体と一体成形してケーブル余長巻取り部を構成したり、請求項４のようにコンセント本体の前面に、若干の隙間をあけて並ぶ２つの円筒部を一体に突設して心線余長収納部を構成したりすることで、光コンセントを構成する部品点数を著しく少なくすることができる。したがって、１つの部品があまり小型になることもない。
部品点数が少なく、かつそれらの部品があまり小型になることはないので、取り扱い性が良好であり、光コンセント設置に際しての配線作業の作業性が向上する。
また、複雑な構造でなく部品形状は単純な形状で済むので、安価に製造することができる。
また、プレート状のコンセント本体に単に突設しただけのマンドレルには、十分長い光ケーブルの余長を巻き取ることが可能である。
また、プレートのコンセント本体に単に並べて突設しただけの２つの円筒部に光ファイバ心線を巻き取る構造は、十分長い光ファイバ心線の余長を巻き取ることが可能である。
また、光ケーブルを円筒状のマンドレルに巻き取る方式は、巻き崩れのない巻き取り方式であると言えるが、マンドレル外周の近くにリブを設けることで、さらに巻き崩れの恐れのない巻き取りが可能となる。
【発明を実施するための最良の形態】
【００１６】
以下、本発明を実施した光コンセントについて、図面を参照して説明する。
【実施例１】
【００１７】
図１０は本発明の一実施例の光コンセント１の正面図、図１１は同右側面図、図１は上記光コンセント１におけるコンセント主体部２の正面図、図２は同右側面図、図３は同背面図、図４は上記光コンセント１におけるカバー３の正面図、図５は同右側面図、図６は図４のＡ−Ａ断面図、図７は後述の埋込みボックス４を取り付けたコンセント主体部２を上方から見た斜視図、図９はコンセント主体部２の下方から見た斜視図である。実施例の光コンセント１は２心用である。
なお、各図は説明のために細部を省略し簡略化されている。
これらの図に示すように、この光コンセント１は、コンセント主体部２と、このコンセント主体部２の前面に取り付けられるカバー３と、コンセント主体部２の背面側に取り付けられる埋込みボックス４とからなっている。
【００１８】
コンセント主体部２は、光レセプタクル１０が配置される概ねプレート状のコンセント本体７と、光レセプタクル回りの心線余長収納部８と、光ケーブル（インドアケーブル）の余長を巻き取るケーブル余長巻取り部９とからなっている。
コンセント主体部２は樹脂一体成型品である。
前記コンセント本体７は、光レセプタクル１０を所定位置に配置するためのレセプタクル位置決め配置部７ａ、７ｂを備えている。各光レセプタクル１０は、図８に示すように、中央の位置決め配置部７ｂとその両側の位置決め配置部７ａとの間に配置される。
光レセプタクルは、２個配置される。
７ｃは壁側の図示せぬ金具にネジで固定するための取付穴である。コンセント本体７の両側縁には壁部７ｄとなっている。
なお、コンセント主体部２は、コンセント本体７の部分に金属製取付枠（壁側への取付穴７ｃの部分等を含む金属枠）を埋め込む形の樹脂インサート成形で作製してもよい。
【００１９】
前記心線余長収納部８は、コンセント本体７の前面、つまり作業面側に設けられている。この心線余長収納部８は、コンセント本体７の前面に、若干の隙間をあけて並ぶ２つの円筒部８ａを一体に突設して構成している。
各円筒部は、コンセント本体７から突設する壁により輪郭が形成されており、２つの円筒部の直径は同じである。
光ファイバ心線１３の余長はこの２つの円筒部８ａに、例えば８の字形に巻き付けられる。
円筒部８ａの内部構造の説明と図示は省略する。
前記ケーブル余長巻取り部９は、コンセント本体７の背面に設けられている。このケーブル余長巻取り部９は、コンセント本体７の背面に、円筒状のマンドレル９ａをコンセント本体７と一体成形で突設して構成している。
マンドレル９aは、円筒部８aと同様に、コンセント本体７から突設する壁により輪郭が形成されている。
また、マンドレル９aの高さ、すなわち、コンセント本体７からの壁突出長さは、円筒部８ａの突出長さよりも大きくなっている。これにより、光ケーブルの巻きつけ量を多くすることができる。
マンドレル９ａの内部構造の説明と図示は省略する。
壁内を配線された光ケーブル１２の余長は、ケーブル余長巻取り部であるこのマンドレル９ａに十分な長さで巻き取られる。
マンドレル９ａのコンセント本体幅方向（図１、図３等で左右方向）の両側に、マンドレル９ａに巻き取った光ケーブル１２のはみ出しを防止するためのリブ１４をコンセント本体７と一体成形で立設している。
コンセント本体７のマンドレル９ａの下部近傍にケーブル引き留め部１５が形成されている。ケーブル引き留め部１５は、コンセント本体７の背面に、光ケーブル１２の被覆を挟持する１対の挟持片１５ａを突設して形成している。前記挟持片１５ａの近傍にコンセント本体７の背面側で光ケーブル１２から露出させた光ファイバ心線（テープ心線）１３を前面側に引き出すための心線通し穴７ｅをあけている。マンドレル９ａに巻き取られた光ケーブル１２はこのケーブル引き留め部１５で挟持されて固定され、弛まないようにされる。なお、ケーブル引き留め部の構造は、これに限らず種々の構造を採用できる。要するに、光ケーブル１２の被覆部端の近傍を保持して、光ケーブル１２から取り出した光ファイバ心線１３をコンセント本体７の前面側に引き出すことが可能なものであればよい。
コンセント本体７における取付穴７ｃのマンドレル９ａ側位置に、円弧断面の突出片１８が形成されている。この突出片１８は、光ケーブル１２が、取付穴７ｃに通した固定用ネジに接触して傷付くことを防ぐためのものであるが、マンドレル９ａに巻き取った光ケーブル１２のはみ出しを防ぐ作用もする。
なお、突出片１８の断面は円弧以外のものを採用することができる。
【００２０】
前記カバー３は、図４〜図６に示すように、周囲の矩形状の枠部３ｂの内側に、隆起したカバー本体部３ａを持ち、カバー本体部３ａの下部には、外部から光コネクタが挿入される、レセプタクル先端嵌合穴３ｃが形成されている。図７ではカバー３の矩形状の枠部３ｂのみを示している。
なお、矩形状の枠部３ｂをカバー本体部３ａと別体に設けてもよい。
このレセプタクル先端嵌合穴３ｃと、光コンセント１内に収容する光レセプタクル１０の一方の挿入口が対向する。
図示略の外部の光ファイバの先端に成端された光コネクタプラグが、光レセプタクル先端嵌合穴３ｃを経由して、光レセプタクル１０の一方の挿入口に差し込まれる。
この光コネクタプラグは、光レセプタクル１０内で、他方の挿入口から挿入された壁内配線の光ケーブルの先端に成端された光コネクタプラグと突き合わせられ、外部の光ファイバと壁内部配線の光ケーブル１２との光接続がなされる。
図５、図６において、３ｄはコンセント本体７側の図示略の係合部と係合する係合爪である。
コンセント本体７の裏面に取り付けられる埋め込みボックス４には、壁内を配線された光ケーブル１２を導入するケーブル導入口４ａがあけられている。
【００２１】
上記の光コンセント１を壁に取り付ける場合、壁内を配線された光ケーブル１２の先端側をケーブル導入口４ａから埋込みボックス４内に導入する。光ケーブル１２の先端側の適宜の長さだけ被覆を除去して光ファイバ心線１３を露出させる。その光ファイバ心線１３を心線通し穴７ｅからコンセント本体７の前面側に引き出す。
ただし、光ファイバケーブルの状態で心線通し穴７ｅを通過させることもできる。通過後に、光ファイバケーブルの先端に光ファイバ心線を露出させるようにしても良い。
光ファイバ心線１３の先端には、好ましくは、現場付け型の光コネクタプラグを取り付け、この光コネクタプラグを光レセプタクル１０に装着する。次いで、光ファイバ心線１３の余長を心線余長収納部８である２つの円筒部８ａに、例えば８字形に巻き取り、光レセプタクル１０をコンセント本体７の前面のレセプタクル位置決め配置部７ａ、７ｂ間に嵌合させて配置する。
次いで、光ケーブル１２の余長をマンドレル９ａに巻き取り、次いで、光ケーブル１２の被覆部端近傍をケーブル把持部１５の２つの突片１５ａにて挟持する。次いで、コンセント本体７の背面に埋込みボックス４を取り付ける。次いで、コンセント本体７を壁側の金具にネジで固定する。ただし、以上の作業手順は前後しても構わない。
次いで、コンセント本体７にカバー３を被せ、光ファイバを光コンセントに接続する接続作業を終了する。
【００２２】
上記の光コンセント１によれば、被覆されたケーブルを対象とするケーブル余長巻取り部９がコンセント本体７の背面側にあり、前面側では光ケーブル１２から取り出した細い光ファイバ心線１３を専ら扱うことができるので、太い光ケーブル１２を処理するものと比べて、光レセプタクル回りの心線余長処理の作業が容易である。
心線余長収納部８とケーブル余長巻取り部９とがコンセント本体７の前後に分離されているので、光ファイバ（光ケーブル１２、及び光ファイバ心線１３）の十分長い余長を確保することが容易である。
また、この光コンセント１は、コンセント本体７の前面に２つの円筒部８ａを一体に突設し背面にマンドレル９ａを一体成形してなるコンセント主体部２と、カバー３と、埋込みボックス４とからなる構成であり、極めて簡単な構造であるとともに、部品点数が極めて少ない。そして、それらの各部品はあまり小型になることもない。
したがって、取り扱い性が良好であり、光コンセント設置に際しての配線作業の作業性が向上する。
また、複雑な構造でなく部品形状は単純な形状で済むので、安価に製造することができる。
また、この実施例ではコンセント本体７とその前面の心線余長収納部８と背面のケーブル余長巻取り部９との主要な部分の全体を一体成型で形成できるので、一層安価に製造できる。
また、プレート状のコンセント本体７に単にマンドレル９ａを突設しただけのケーブル余長巻取り部９は、制約が少なく十分な巻き取りスペースを確保できるので、十分長い光ケーブル余長を巻き取ることが可能である。
また、プレートのコンセント本体７に単に並べて突設しただけの２つの円筒部８ａからなる心線余長収納部８も、制約が少なく十分な収納スペースを確保できるので、十分長い光ファイバ心線１３の余長を巻き取ることが可能である。
また、光ケーブル１２を円筒状のマンドレル９ａに巻き取る方式は、巻き崩れのない巻き取り方式であると言えるが、マンドレル外周の近くにリブ１４が設けられていることで、さらに巻き崩れの恐れのない巻き取りが可能である。
【図面の簡単な説明】
【００２３】
【図１】本発明の一実施例の光コンセントのコンセント主体部の正面図である。
【図２】図１の右側面図である。
【図３】図１の背面図である。
【図４】図１のコンセント主体部の前面に取り付けられるカバーの正面図である。
【図５】図４の右側面図である。
【図６】図４のＡ−Ａ断面図である。
【図７】埋込みボックスを取り付けた上記コンセント主体部を上方から見た斜視図である。
【図８】図７においてコンセント本体の上面に光レセプタクルを配置した状態を示す図である。
【図９】上記コンセント主体部の下方から見た斜視図である。
【図１０】組立状態で示した上記光コンセントの正面図である。
【図１１】組立状態で示した上記光コンセントの右側面図である。
【図１２】組立状態で示した上記光コンセントの上方から見た斜視図である。
【符号の説明】
【００２４】
１  光コンセント
２  コンセント主体部
３  カバー
３ａ  カバー本体部
３ｂ  枠部
３ｃ  レセプタクル先端嵌合穴
３ｄ  係合爪
４  埋込みボックス
４ａ  ケーブル導入口
７  コンセント本体
７ａ、７ｂ  レセプタクル位置決め配置部
７ｃ  取付穴
７ｄ  壁部
７ｅ  心線通し穴
８  心線余長収納部
８ａ  円筒部
９  ケーブル余長巻取り部
９ａ  マンドレル
１０  光レセプタクル
１２  光ケーブル
１３  光ファイバ心線
１４  リブ
１５  ケーブル引き留め部
１５ａ  挟持片
１８  突出片
【図１】
2008233816.tif 000003
【図２】
2008233816.tif 000004
【図３】
2008233816.tif 000005
【図４】
2008233816.tif 000006
【図５】
2008233816.tif 000007
【図６】
2008233816.tif 000008
【図７】
2008233816.tif 000009
【図８】
2008233816.tif 000010
【図９】
2008233816.tif 000011
【図１０】
2008233816.tif 000012
【図１１】
2008233816.tif 000013
【図１２】
2008233816.tif 000014